(57)【特許請求の範囲】
【請求項１】
使用者が着座する座と、
着座荷重を支持する脚体と、
下方に該脚体の上端部が連結されるとともに、上方で前記座の下面を支持する座支持体と、
前記座支持体に支持され、前記座とは別に上方側から荷重が入力される荷重受け部品と、を備えた椅子において、
前記座支持体のうちの、前記座に当接して前記座の荷重を直接受け止める座当接部に、前記荷重受け部品を支持する支持杆が一体に設けられることを特徴とする椅子。
【請求項２】
前記座当接部は、前記座の幅方向に沿って延出していることを特徴とする請求項１に記載の椅子。
【請求項３】
前記座支持体は、
前記脚体に取り付けられる支持体基部と、
該支持体基部から前記座の前部上方側に向かって湾曲して延出する延出部と、を備え、
前記座当接部は、前記延出部の上端部に設けられていることを特徴とする請求項１または２に記載の椅子。
【請求項４】
前記延出部は、前記支持体基部から前記座の前部上方側に向かって延出する複数の延出杆によって構成され、
前記座当接部は、複数の前記延出杆同士を連結するとともに、前記支持杆と一体化される連結杆によって構成されていることを特徴とする請求項３に記載の椅子。
【請求項５】
前記座には、前記座当接部が嵌入される凹溝が設けられていることを特徴とする請求項１〜４のいずれか１項に記載の椅子。
【発明の詳細な説明】
【技術分野】
【０００１】
この発明は、テーブル等の荷重受け部品を備えた椅子に関するものである。
【背景技術】
【０００２】
テーブル等の荷重受け部品を備えた椅子として、荷重受け部品を支持する支持杆が、座の下面側に回り込み、座の下面の座支持体に支持杆の基部が固定されたものが知られている（例えば、特許文献１参照）。
【０００３】
特許文献１に記載の椅子は、座を支持する座支持体の下面に、荷重受け部品を支持する支持杆の基部が重ねられ、その支持杆の基部が座支持体の下面に溶接や締結等によって一体に結合されている。
【０００４】
また、特許文献２に記載の椅子は、座を支持する座支持体の下面の左右両側に、座の前後方向に略沿って延出する一対の金具が取り付けられ、荷重受け部品を支持する支持杆の基部が、前記一対の金具に、これらの金具を貫通した状態で取り付けられている。
【先行技術文献】
【特許文献】
【０００５】
【特許文献１】特許第５４９１０２１号公報
【特許文献２】特許第３７０９８８７号公報
【発明の概要】
【発明が解決しようとする課題】
【０００６】
特許文献１に記載の椅子においては、荷重受け部品を支持する支持杆の基部が座支持体の下面に結合されているため、載置した物品の荷重や手を載せた着座者の荷重が荷重受け部品に入力されると、その荷重が支持杆の基部を座支持体の下面から剥離させる力として作用する。このため、この椅子の構造の場合、荷重受け部品の支持強度の面においては不利となる。
【０００７】
また、特許文献２に記載の椅子においては、荷重受け部品を支持する支持杆が一対の金具に貫通状態で支持されるため、荷重受け部品に荷重が入力されたときに、支持杆が一対の金具から剥離する心配はないものの、入力荷重が金具を座支持体から剥離させる力として作用することが懸念される。したがって、この構造の場合も、荷重受け部品の支持強度の面において改善の余地がある。
【０００８】
そこでこの発明は、荷重受け部品を座支持体に高い支持強度をもって支持させることができる椅子を提供しようとするものである。
【課題を解決するための手段】
【０００９】
この発明に係る椅子は、上記課題を解決するために、使用者が着座する座と、着座荷重を支持する脚体と、下方に該脚体の上端部が連結されるとともに、上方で前記座の下面を支持する座支持体と、前記座支持体に支持され、前記座とは別に上方側から荷重が入力される荷重受け部品と、を備えた椅子において、前記座支持体のうちの、前記座に当接して前記座の荷重を直接受け止める座当接部に、前記荷重受け部品を支持する支持杆が一体に設けられるようにした。
【００１０】
これにより、荷重受け部品に荷重が入力されると、その荷重が支持杆を介して座支持体の座当接部に支持されるようになる。座当接部には、座を通して着座者の体重が上方から作用する。このため、座当接部は、脚体に連結される座支持体自体によって下方変位を押さえられるとともに、着座者の体重のかかる座によって浮き上がりを押さえ込まれる。したがって、荷重受け部品は、支持杆を介して座支持体に高い支持強度をもって支持されることになる。
【００１１】
前記座当接部は、前記座の幅方向に沿って延出することが望ましい。
この場合、座当接部が座の幅方向の広い範囲に亙って座から押し付け荷重を受けるようになる。したがって、これによって支持杆の支持剛性がより高まる。
【００１２】
前記座支持体は、前記脚体に取り付けられる支持体基部と、該支持体基部から前記座の前部上方側に向かって湾曲して延出する延出部と、を備え、前記座当接部は、前記延出部の上端部に設けられるようにしても良い。
この場合、湾曲した延出部を通して座当接部を下方側から高い剛性をもって支持することが可能になる。したがって、座当接部に一体に設けられる支持杆の支持剛性がより高まる。
【００１３】
前記延出部は、前記支持体基部から前記座の前部上方側に向かって延出する複数の延出杆によって構成され、前記座当接部は、複数の前記延出杆同士を連結するとともに、前記支持杆と一体化される連結杆によって構成されるようにしても良い。
この場合、支持杆を通して連結杆に入力される荷重受け部品からの入力荷重を、複数の延出杆に分散して支持させることができる。したがって、連結杆の支持剛性、ひいては荷重受け部品の支持剛性をより高めることができる。
【００１４】
前記座には、前記座当接部が嵌入される凹溝が設けられるようにしても良い。
この場合、座に設けられた凹溝が、座支持体の座当接部に広い面積で当接することになるため、座当接部の変位を着座者の体重によってより安定的に押さえ込むことが可能になる。
【発明の効果】
【００１５】
この発明によれば、座の荷重を直接受け止める座支持体の座当接部に、荷重受け部品を支持する支持杆が一体に設けられているため、荷重受け部品を座支持体に高い支持強度をもって支持させることができる。
【図面の簡単な説明】
【００１６】
【図１】この発明の実施形態に係る椅子の図２のＩ−Ｉ断面に対応する断面図である。
【図２】この発明の実施形態に係る椅子の右側面図である。
【図３】この発明の実施形態に係る椅子の背面図である。
【図４】この発明の実施形態に係る椅子の上面図である。
【図５】この発明の実施形態に係る椅子の図４のＶ−Ｖ断面に対応する断面図である。
【図６】この発明の実施形態に係る椅子の座の分解斜視図である。
【図７】この発明の実施形態に係る椅子の図１のＶＩＩ−ＶＩＩ断面に対応する断面図である。
【発明を実施するための形態】
【００１７】
以下、この発明の実施形態を図面に基づいて説明する。なお、以下の説明においては、椅子に正規姿勢で着座した人の前方を「前」、それと逆側を「後」と呼ぶものとする。また、「上」，「下」と「左」，「右」については、椅子に正規姿勢で着座した人の上方を「上」、それと逆側を「下」と呼び、椅子に正規姿勢で着座した人の左側方を「左」、それと逆側を「右」と呼ぶものとする。また、図中矢印ＦＲは前方を指し、矢印ＵＰは上方を、矢印ＬＨは左側方をそれぞれ指すものとする。
【００１８】
図１，図５は、この実施形態に係る椅子１の縦断面を示す図であり、図２は、同椅子１の左側面を示す図、図３は、同椅子１の背面を示す図、図４は、同椅子１の上面を示す図である。
これらの図に示すように、この実施形態に係る椅子１は、床面上に載置される脚体１０と、脚体１０の上端部に設置される座支持体１１と、座支持体１１に支持されて着座者の臀部を支持する座１２と、座１２の後方側で座支持体１１に支持されて着座者の背部を支持する背凭れ１３と、座支持体１１に座１２と別に支持される荷重受け部品であるテーブル１４と、を備えている。
【００１９】
脚体１０は、キャスタ１５ａ付きの多岐脚１５と、多岐脚１５の中央部より起立して昇降機構であるガススプリングを内蔵する脚柱１６と、を備え、脚柱１６の上端部に座支持体１１が取り付けられている。
【００２０】
座支持体１１は、脚体１０の脚柱１６の上端部に支持され、内部に脚柱１６（ガススプリング）の昇降操作機構が内蔵されるボックス状の支基１７と、支基１７の左右両縁部を前後方向に貫通した状態で支基１７に固定される左右一対の支持フレーム１８，１８と、支持フレーム１８，１８の前端部同士を連結する前部連結フレーム１９と、を備えている。左右の支持フレーム１８，１８と前部連結フレーム１９とは断面円形状の金属製のパイプ材によって形成されている。
【００２１】
左右の支持フレーム１８，１８の支基１７から前方側に延出する領域は、上面視が略平行となるように一定間隔をなし、前縁部が座１２の前部上方側に向かって湾曲して延出する延出杆１８ａ，１８ａを構成している。また、左右の支持フレーム１８，１８の支基１７から後方側に延出する領域は、座１２の後方側に向かって相互の離間幅が拡大し、座１２の後端部付近から上方側に起立して背凭れ支持杆１８ｂ，１８ｂを構成している。背凭れ支持杆１８ｂ，１８ｂの上部には、樹脂によって一体成形された背凭れ１３の左右の両縁部が嵌合状態で連結されている。また、左右の背凭れ支持杆１８ｂ，１８ｂのうちの、背凭れ１３の嵌合部の下方位置には、座１２の左右の後縁部に連結される支持アーム１８ｃ，１８ｃが延設されている。
なお、この実施形態においては、支基１７が座支持体１１の支持体基部を構成し、左右の支持フレーム１８，１８の延出杆１８ａ，１８ａが座支持体１１の延出部を構成している。
【００２２】
前部連結フレーム１９は、座１２の幅方向に直線状に延出する部分と、その直線状に延出する部分の一端部（この実施形態の例の場合、右側の端部）から上方側に屈曲して上方に延出する部分とを有している。前部連結フレーム１９の座１２の幅方向に延出する部分は、座支持体１１の左右の延出杆１８ａ，１８ａの上端部に溶接されて、延出杆１８ａ，１８ａ同士を連結する連結杆１９ａを構成している。連結杆１９ａは、後述するように座１２の前縁部の下面に当接して、座１２の荷重を直接受け止める。連結杆１９ａは、座当接部を構成している。また、前部連結フレーム１９の上方に延出する部分は、荷重受け部品であるテーブル１４を支持する支持杆１９ｂを構成している。連結杆１９ａの一端部は、座１２の側端部よりも外側まで延出し、支持杆１９ｂは、座１２の側端部の外側において上方側に延出している。
【００２３】
テーブル１４は、平面視で略矩形状に形成され、その一側部の下縁に設けられたボス部１４ａが支持杆１９ｂの上端部に取り付けられている。この実施形態の場合、テーブル１４は、水平方向において所定の角度の範囲で回動可能とされている。
【００２４】
図６は、座１２を分解して示した図である。
同図に示すように、座１２は、金属製のパイプ材から成る略矩形状の座フレーム２１と、座フレーム２１の下面を覆う下部カバー２２と、下部カバー２２と座フレーム２１の上方側に載置されるインナシェル２３と、座フレーム２１とインナシェル２３の上方側を覆う座面部材２４と、を有している。
座フレーム２１の左右の後縁部には、上方側に向かって突出する連結アーム２１ａ，２１ａが突設されている。連結アーム２１ａ，２１ａは、座支持体１１側の左右の支持アーム１８ｃ，１８ｃに連結されている。したがって、座１２の後部側は座支持体１１側の左右の支持アーム１８ｃ，１８ｃに支持されている。なお、図中の符号２２ａは、下部カバー２２の左右の後縁部に設けられ、座フレーム２１の連結アーム２１ａ．２１ａの外側を覆うカバーアームである。
また、座１２の前縁部は、座支持体１１側の連結杆１９ａの上面に載置され、その状態において連結杆１９ａにビス止め等によって固定されている。
【００２５】
図７は、座１２の前縁部と連結杆１９ａの固定部を示す図である。
同図に示すように、座１２の下部カバー２２の前縁部の下面には、座当接部である連結杆１９ａの略上半部が嵌入される断面円弧状の凹溝２２ｂが形成されている。凹溝２２ｂは、座１２の下面の幅方向に沿って延出している。下部カバー２２内の凹溝２２ｂの直上位置には、座フレーム２１の前部側で座１２の幅方向に沿って延出する前側梁部２１ｂが位置されている。連結杆１９ａは、下部カバー２２の凹溝２２ｂ内に嵌入された状態において、座１２の幅方向の略中央位置で、座フレーム２１の前側梁部２１ｂにビス２５によって締結固定されている。
【００２６】
以上のように、この実施形態に係る椅子１は、座支持体１１の前部に、座１２の下面に当接して座１２の荷重を直接受け止める連結杆１９ａが設けられ、テーブル１４を支持する支持杆１９ｂがその連結杆１９ａに一体に形成されている。このため、テーブル１４の使用時に、載置した物品の荷重や着座者が手をついたときの荷重がテーブル１４から支持杆１９ｂに作用すると、その荷重は、座１２を通して着座者の体重が上方からかかる連結杆１９ａによって支持されることになる。このとき、支持杆１９ｂは、支基１７に支持される左右の延出杆１８ａ，１８ａの上端部と、座１２の前縁部との間に挟み込まれているため、下方変位と浮き上がりをこれらによって押さえ込まれることになる。
したがって、この実施形態に係る椅子１においては、テーブル１４を座支持体１１に高い支持強度をもって支持させることができる。
なお、この実施形態の例においては、座支持体１１に支持される荷重受け部品の一例としてテーブル１４を挙げているが、荷重受け部品は必ずしもテーブル１４に限らず、座１２と別に座支持体１１に支持される部品であれば、肘掛け等の他の形態の部品であっても良い。
【００２７】
また、この実施形態に係る椅子１においては、座当接部である連結杆１９ａが座１２の幅方向に沿って延出しているため、連結杆１９ａが座の幅方向の広い範囲に亙って座１２から押し付け荷重を受けることができる。このため、この構造を採用した場合には、連結杆１９ａの剛性と支持強度がより高まり、テーブル１４をより安定的に支持することが可能になる。
【００２８】
さらに、この実施形態に係る椅子１では、座支持体１１が、脚体１０に取り付けられる支基１７と、支基１７から座１２の前部上方側に向かって湾曲して延出する延出杆１８ａ，１８ａと、を備え、座当接部である連結杆１９ａが延出杆１８ａ，１８ａの上端部に連結されている。このため、支持杆１９ｂと一体化されている連結杆１９ａを、前部上方側に向かって湾曲している延出杆１８ａ，１８ａを通して下方側から高い剛性をもって支持することができる。したがって、この構造を採用した場合には、テーブル１４を支持する支持杆１９ｂの支持剛性をより高めることができる。
【００２９】
特に、この実施形態に係る椅子１の場合、支基１７から座１２の前部上方側に向かって延出する延出杆１８ａが複数設けられ、座当接部である連結杆１９ａが、テーブル１４を支持する支持杆１９ｂと一体化され、かつ複数の延出杆１８ａ，１８ａ同士を連結する構造とされているため、支持杆１９ｂを通して連結杆１９ａに入力されるテーブル１４からの入力荷重を、複数の延出杆１８ａ，１８ａに分散して支持させることができる。したがって、この構造を採用した場合には、連結杆１９ａの支持剛性を高め、テーブル１４の支持剛性をより高めることができる。
【００３０】
また、この実施形態に係る椅子１においては、座１２の前縁部の下面に、座当接部である連結杆１９ａが嵌入される凹溝２２ｂが設けられているため、座１２の前縁部の下面が凹溝２２ｂ部分で連結杆１９ａに広い面積で当接することになる。したがって、この構造を採用した場合には、連結杆１９ａの変位を着座者の体重によってより安定的に押さえ込むことができる。
【００３１】
なお、この発明は上記の実施形態に限定されるものではなく、その要旨を逸脱しない範囲で種々の設計変更が可能である。例えば、脚体は、必ずしも多岐脚と昇降機構を持つ構造である必要はなく、固定脚であっても良い。また、背凭れの支持構造は上記の構造に限るものでなく、さらに、背凭れを持たない構造であっても良い。
【符号の説明】
【００３２】
１０  脚体
１１  座支持体
１２  座
１４  テーブル（荷重受け部品）
１７  支基（支持体基部）
１８ａ  延出杆（延出部）
１９ａ  連結杆（座当接部）
１９ｂ  支持杆
２２ｂ  凹溝
【図１】
0006414962.tif 000002
【図２】
0006414962.tif 000003
【図３】
0006414962.tif 000004
【図４】
0006414962.tif 000005
【図５】
0006414962.tif 000006
【図６】
0006414962.tif 000007
【図７】
0006414962.tif 000008